(57)【要約】【課題】撮影装置に備えられる発光装置において、被写体に対する発光強度のピークを可変に制御できるようにする。【解決手段】所定の配光角度内の当該配光角度の中心以外の角度で、配光素子から所定の距離離間した位置における発光強度がピークとなる第１の発光手段３と、その第１の発光手段３の発光制御を行なう制御手段１０と、を備える。さらに、第１の発光手段３と逆位相の特性を具備する第２の発光手段４と、当該発光装置の傾斜角を検出する傾斜角検出手段６と、を備える。そして、制御手段１０は、傾斜角検出手段６により検出された傾斜角に応じて、第１の発光手段３の発光素子３１の明るさと、第２の発光手段４の発光素子４１の明るさと、の配分を制御する。【選択図】図１
2017227819.tif 000002
【特許請求の範囲】
【請求項１】
所定の配光角度内の当該配光角度の中心以外の角度で、配光素子から所定の距離離間した位置における発光強度がピークとなる第１の発光手段と、
前記第１の発光手段の発光制御を行なう制御手段と、
を備えることを特徴とする発光装置。
【請求項２】
前記第１の発光手段は、
前記所定の配光角度内において、前記配光角度の中心であり、且つ、前記配光素子から前記所定の距離離間した位置において、発光強度がピークとなり、
前記配光角度の中心からプラス方向及びマイナス方向に対称な配光角度であり、且つ、前記配光素子から前記所定の距離離間した位置において、所定の発光強度となる配光カーブを有し、
当該配光カーブの特性を変化させることにより、
前記配光角度の中心以外の角度で前記配光素子から所定の距離離間した位置における発光強度がピークとなることを特徴とする請求項１に記載の発光装置。
【請求項３】
前記第１の発光手段は、
前記所定の配光角度内において、前記配光角度の中心であり、且つ、前記配光素子から前記所定の距離離間した位置において、発光強度がピークとなり、
前記配光角度の中心からプラス方向及びマイナス方向に対称な配光角度であり、且つ、前記配光素子から前記所定の距離離間した位置において、所定の発光強度となる配光カーブが、前記配光角度が照射平面に対して所定の傾斜角になった時の前記配光素子から前記照射平面までの距離の二乗が乗じた特性となる配光カーブを有することにより、
前記配光角度の中心以外の角度で前記配光素子から所定の距離離間した位置における発光強度がピークとなることを特徴とする請求項１に記載の発光装置。
【請求項４】
前記第１の発光手段と逆位相の特性を具備する第２の発光手段と、
当該発光装置の天地を判定する天地判定手段と、を備え、
前記制御手段は、前記天地判定手段の判定結果に応じて、前記第１の発光手段と前記第２の発光手段のどちらを発光させるかを制御することを特徴とする請求項２または３に記載の発光装置。
【請求項５】
前記第１の発光手段と逆位相の特性を具備する第２の発光手段と、
当該発光装置の傾斜角を検出する傾斜角検出手段と、を備え、
前記制御手段は、前記傾斜角検出手段により検出された傾斜角に応じて、前記第１の発光手段の発光素子の明るさと、前記第２の発光手段の発光素子の明るさと、の配分を制御することを特徴とする請求項２または３に記載の発光装置。
【請求項６】
請求項１から５の何れか一項に記載の発光装置を備えることを特徴とする撮影装置。
【請求項７】
請求項４または５に記載の発光装置を備える撮影装置であって、
当該撮影装置の撮影レンズの光軸中心と、前記第１の発光手段の発光素子の発光軸中心と、前記第２の発光手段の発光素子の発光軸中心と、が同一線上となるように、前記撮影レンズと前記第１の発光手段と前記第２の発光手段が配置されていることを特徴とする撮影装置。
【請求項８】
前記同一線上において、前記撮影レンズの光軸中心を中心として前記撮影レンズの光軸中心から等間隔離間した位置に、前記第１の発光手段の発光素子の発光軸中心と前記第２の発光手段の発光素子の発光軸中心が配置されていることを特徴とする請求項７に記載の撮影装置。
【発明の詳細な説明】
【技術分野】
【０００１】
本発明は、発光装置と、その発光装置を備える撮影装置に関する。
【背景技術】
【０００２】
撮影レンズの近傍にフラッシュ発光部を備えて、自撮り撮影が行えるカメラがある（例えば特許文献１参照）。
従来のカメラにおけるフラッシュ発光は、光源からある配光角度をもって球面に照射した強度分布にて配光設計することが多かった。
【先行技術文献】
【特許文献】
【０００３】
【特許文献１】特開２０１２−１３３０６１号公報
【発明の概要】
【発明が解決しようとする課題】
【０００４】
しかしながら、実際に撮影する際において、フラッシュ光が球面に照射して撮影されることは殆どなく、通常撮影が行われる平面に照射した場合、その照射中心と周辺では光源から到達する距離が大きく異なるため、発光分布は当初設計のものよりも周辺部が、距離の二乗に比例して著しく暗くなってしまうという問題があった。
特に、自撮り撮影をする場合、カメラは撮影面に対して所定の傾き角度となり、画角内にて撮影距離が著しく変わってしまい上記問題による影響が顕著になる。
【０００５】
本発明の課題は、撮影装置に備えられる発光装置において、被写体に対する発光強度のピークを可変に制御できるようにすることである。
【課題を解決するための手段】
【０００６】
以上の課題を解決するため、本発明は、
所定の配光角度内の当該配光角度の中心以外の角度で、配光素子から所定の距離離間した位置における発光強度がピークとなる第１の発光手段と、
前記第１の発光手段の発光制御を行なう制御手段と、
を備える発光装置を特徴とする。
【発明の効果】
【０００７】
本発明によれば、撮影装置に備えられる発光装置において、被写体に対する発光強度のピークを可変に制御することができる。
【図面の簡単な説明】
【０００８】
【図１】本発明を適用した撮影装置の一実施形態の構成を示すもので、カメラの概略正面図である。
【図２】実施例１のカメラのブロック構成図である。
【図３】図２のブロック構成による発光制御のフローチャートである。
【図４】実施例２のカメラの他のブロック構成図である。
【図５】図４のブロック構成による発光制御のフローチャートである。
【図６】最適構図での自撮り撮影例を示した正面図（Ａ）と、最適構図での自撮り撮影の際の傾斜角等を示す線図（Ｂ）である。
【図７】カメラを傾斜して使用する際の画角内での距離の変化をキャンセルする手法を示すもので、設計時（平面照射）の配光角−明るさ比特性図（Ａ）と、それに除する傾斜角βの照射平面までの距離の二乗の配光角−撮影面までの距離特性図（Ｂ）と、その結果による実際の傾斜平面での明るさの配光角−明るさ比特性図（Ｃ）である。
【図８】傾斜撮影によるロスをキャンセルする配光設計を示すもので、設計時（平面照射）×傾斜角βの照射平面までの距離の二乗の配光角−明るさ比特性図（Ａ）と、それに除する傾斜角βの照射平面までの距離の二乗の配光角−撮影面までの距離特性図（Ｂ）と、その結果による実際の傾斜平面での明るさの配光角−明るさ比特性図（Ｃ）である。
【図９】傾斜角βのときの撮影面までの距離の二乗を予め乗じた配光カーブを示す配光角−明るさ比特性図である。
【図１０】理想配光カーブを実現する手法を示すもので、通常の配光設計図（Ａ）と、その通常の配光設計による配光カーブを示す特性図（Ｂ）である。
【図１１】屈折レンズを追加した配光設計図（Ａ）と、その配光設計による配光カーブを示す特性図（Ｂ）である。
【図１２】各種傾斜角度を示す線図（Ａ）と、その傾斜角度と撮影距離の関係を示す特性図（Ｂ）である。
【図１３】第１のＬＥＤユニットの構成図（Ａ）と、第２のＬＥＤユニットの構成図（Ｂ）である。
【図１４】ＬＥＤ合成による傾斜角への追従法１を示す配光角−明るさ比特性図である。
【図１５】ＬＥＤ合成による傾斜角への追従法２を示す配光角−明るさ比特性図である。
【図１６】ＬＥＤ合成による傾斜角への追従法３を示すもので、照射角―ＬＥＤ合成ごとの明るさ変化カーブ特性図である。
【図１７】同じく、照射角―カメラ傾斜角ごとの撮影距離変化カーブ特性図である。
【図１８】本発明による照射角―カメラ傾斜角ごとの明るさ変化カーブ特性図である。
【図１９】従来の照射角―カメラ傾斜角ごとの明るさ変化カーブ特性図である。
【発明を実施するための形態】
【０００９】
以下、図を参照して本発明を実施するための形態を詳細に説明する。
（実施例１）
図１は本発明を適用した撮影装置の一実施形態としてカメラの概略構成を示すもので、１は筐体、２は撮影レンズ、３はＬＥＤユニット（第１の発光手段）、４はＬＥＤユニット（第２の発光手段）、５は天地判定手段である。
【００１０】
図示のように、筐体１には、撮影レンズ２と、その撮影レンズ２の周囲近傍に、図示では上下一対の第１の発光手段及び第２の発光手段としてＬＥＤユニット３・４が備えられている。ＬＥＤユニット４の発光特性は、ＬＥＤユニット３の発光特性と逆位相の特性を具備する。
また、筐体１の背面には、図示しない表示部が備えられ、あるいは、筐体１に回転可能にヒンジ結合される図示しない他の筐体に表示部が備えられる。
そして、筐体１の内部には、撮影時の筐体１の天地、すなわち、筐体１が正立状態にあるか倒立状態にあるかを判定する天地判定手段５が内蔵されている。
【００１１】
図２は実施例１のカメラのブロック構成を示すもので、図示のように、ＬＥＤユニット３・４と、筐体１に備えられ、または筐体１にヒンジ結合される図示しない他の筐体に備えられる表示部７の表示画面は、筐体１に内蔵した制御手段であるＣＰＵ１０により制御される。
また、ＣＰＵ１０によって、筐体１外面に設けられるシャッターボタン８の操作に基づいて、筐体１に内蔵したシャッター９の開閉動作が制御されるとともに、ＬＥＤユニット３・４の発光が制御される。
そして、筐体１に内蔵した天地判定手段５の検出に基づいて、ＣＰＵ１０によりＬＥＤユニット３・４の発光が制御される。
【００１２】
図３は図２のブロック構成による発光制御のフローチャートである。
図示のように、先ず、天地判定手段５の検出に基づいて、筐体１が正立状態から否かが判断され（ステップＳ１）、正立状態であれば次のステップＳ２で、シャッターボタン８がＯＮか否かが判断され、シャッターボタンＯＮであれば次のステップＳ３で、筐体１の正立状態で上側のＬＥＤユニット３をＯＮにして、ステップＳ１の処理に戻る。
なお、ステップＳ２で、シャッターボタンＯＦＦであれば、ステップＳ１の処理に戻る。
【００１３】
また、ステップＳ１において、倒立状態であれば次のステップＳ４で、シャッターボタン８がＯＮか否かが判断され、シャッターボタンＯＮであれば次のステップＳ５で、筐体１の倒立状態で上側のＬＥＤユニット４をＯＮにして、ステップＳ１の処理に戻る。
なお、ステップＳ４で、シャッターボタンＯＦＦであれば、ステップＳ１の処理に戻る。
【００１４】
このように、筐体１の正立状態においては、上側のＬＥＤユニット３のみをＯＮにしてフラッシュ発光させて撮影する。
また、筐体１の倒立状態においては、上側のＬＥＤユニット４のみをＯＮにしてフラッシュ発光させて撮影する。
【００１５】
（実施例２）
実施例２では、図１において、合成配光を実現するための２個のＬＥＤユニット３・４を備え、実施例１の天地判定手段５に代えて、筐体１にその傾斜角をセンシングする傾斜角センサ（傾斜角検出手段）６を内蔵している。
すなわち、傾斜角センサ６により撮影時の筐体１の傾きを検出し、その筐体１の傾き量に応じて２個のＬＥＤユニット３・４の強弱を個別制御することにより、被写体に対する傾斜面の影響をキャンセルできる構成となっている。
【００１６】
図４は実施例２のカメラのブロック構成を示すもので、図示のように、筐体１に内蔵した傾斜角センサ６の検出角度に基づいて、ＣＰＵ１０によりＬＥＤユニット３・４の発光が制御される。
【００１７】
図５は図４のブロック構成による発光制御のフローチャートである。
図示のように、先ず、傾斜角センサ６の検出角度に基づいて（ステップＳ１１）、２個のＬＥＤユニット３・４の各々の発光量の配分が決定され（ステップＳ１２）、次のステップＳ１３で、シャッターボタン８がＯＮか否かが判断され、シャッターボタンＯＮであれば次のステップＳ１４で、決定された各々の発光量配分に従って２個のＬＥＤユニット３・４をともにＯＮにして、ステップＳ１１の処理に戻る。
なお、ステップＳ１３で、シャッターボタンＯＦＦであれば、ステップＳ１１の処理に戻る。
【００１８】
このように、筐体１の傾斜角に基づいて決定された各々の発光量配分に従って上下２個のＬＥＤユニット３・４をともにＯＮにしてフラッシュ発光させて撮影する。
【００１９】
上記構成のカメラにより最適構図での自撮りを行なう場合について、以下詳細に説明する。
「最適構図での自撮り」
図６は自撮りの際の理想的な構図にて撮影した場合のカメラ筐体１の傾きを示す図である。
図６（Ａ）に示すように、自撮りの際の理想的な構図としては１／３構図が一般的であり、ポートレートの際も画面内の１／３の位置に目線がくるのがバランスのよい構図とされている。
このような構図で自撮りを行なう場合、図６（Ｂ）に示すように、カメラ筐体１は撮影面に対して所定の傾き角度βとなり、画角内にて撮影距離が著しく変わってしまう。
【００２０】
次に、カメラ筐体１を傾斜して使用する際の画角内での距離の変化をキャンセルする手法を示したのが図７、図８である。
【００２１】
「傾斜撮影時の撮影面までの実際の明るさ」
図７（Ａ）は設計時（平面照射）の配光角−明るさ比特性を示し、図７（Ｂ）は図７（Ａ）の特性に除する傾斜角βの照射平面までの距離の二乗の配光角−撮影面までの距離特性を示し、図７（Ｃ）はその結果による実際の傾斜平面での明るさの配光角−明るさ比特性を示している。
【００２２】
図７（Ｂ）の特性カーブが示す通り、カメラ筐体１が傾斜角βで傾斜した場合に画角内での撮影距離が著しく変化する影響を受けることが諸悪の根源である。
【００２３】
「傾斜撮影によるロスをキャンセルする配光設計」
図８（Ａ）は設計時（平面照射）×傾斜角βの照射平面までの距離の二乗の配光角−明るさ比特性を示し、図８（Ｂ）は図８（Ａ）の特性に除する傾斜角βの照射平面までの距離の二乗の配光角−撮影面までの距離特性を示し、図８（Ｃ）はその結果による実際の傾斜平面での明るさの配光角−明るさ比特性を示している。
【００２４】
図７に示した傾斜撮影時の撮影面までの実際の明るさ問題を回避するために、図８（Ａ）（Ｂ）に示すように、傾斜角βの撮影距離の二乗の画角内での変化カーブを、予め設計時に掛け合わせることにより、図８（Ｃ）に示すように、実際に傾斜平面に照射された際の明るさの距離による影響をキャンセルすることができる。
【００２５】
「カメラ筐体１の傾斜角βのときの撮影面までの距離の二乗を予め乗じた配光カーブ」
上記説明したように、予め傾斜撮影面までの距離の二乗を掛け合わせた配光カーブ（図９）を設計することにより、傾斜撮影の際の発光強度のピークの偏重をキャンセルする解決案を示した。
【００２６】
図１０、図１１は他の解決案の１つである。
【００２７】
「理想配光カーブを実現する手法」
図１０（Ａ）は通常の配光設計を示し、１１はＬＥＤ素子、１２は配光レンズであり、図１０（Ｂ）はその通常の配光設計による配光カーブ特性を示している。
図１１（Ａ）は屈折レンズを追加した配光設計を示し、１３は屈折レンズであり、図１１（Ｂ）はその配光設計による配光カーブ特性を示している。
【００２８】
図１０（Ａ）に示すように、ＬＥＤ素子１１の光軸を、画角中心から左右対称になるような通常の配光設計を配光レンズ１２などで施しておく。その際、周辺から中心に向かう配光の上昇カーブは、図９の右肩上がりの上昇カーブに可能な限り合わせておく。
【００２９】
さらに、図１１（Ａ）に示すように、ＬＥＤ素子１１の取り付け面を傾斜させたり、屈折レンズ１３を追加するなどにより、主光線の光軸を大きく曲げる。
これによって、図１１（Ｂ）に示すように、配光のピークの位置を４０°近辺までシフトさせることにより、必要画角内では右肩上がりのカーブのみになるようにすることで、図９に近似した配光カーブを実現させることが可能になる。
【００３０】
一方で、図９、図１１で導き出した配光設計は、カメラ筐体１が傾斜角βの撮影時に最適化されたものである。
【００３１】
「各種傾斜角度と撮影距離の関係」
しかし、実際は、図１２（Ａ）に示す通り、カメラ筐体１の傾斜角の変化に伴い撮影面までの距離変化カーブも異なる。
このため、図１０、図１１の手法では、図１２（Ｂ）に示す通り、傾斜角βのときのみ有効であり、その他の傾斜角では無効となってしまう。
【００３２】
「ＬＥＤ合成による傾斜角への追従法１」
図１３、図１４はその回避策を示したものである。
【００３３】
図１３（Ａ）は第１のＬＥＤユニット３の構成を示し、３１はＬＥＤ素子、３２は配光レンズ、３３は屈折レンズである。
また、図１３（Ｂ）は第２のＬＥＤユニット４の構成を示し、４１はＬＥＤ素子、４２は配光レンズ、４３は屈折レンズである。
【００３４】
そして、図１４はＬＥＤ合成による傾斜角への追従法１を示す配光角−明るさ比特性を示している。
【００３５】
第１のＬＥＤユニット３と第２のＬＥＤユニット４において、図１３（Ａ）及び（Ｂ）に示す通り、各々のＬＥＤ素子取り付け面を傾斜させて、図１４に示すように、逆位相となるような配光カーブになるような配光設計にする。
【００３６】
「ＬＥＤ合成による傾斜角への追従法２」
図１５は第１のＬＥＤユニット３（Ａ）、第２のＬＥＤユニット４（Ｂ）を同時点灯させた場合の合成配光カーブを示しており、その際、第１のＬＥＤユニット（Ａ）と第２のＬＥＤユニット４（Ｂ）の明るさ配分を可変させており、これにより配光カーブの傾きを可変させることが可能になっている。
【００３７】
「ＬＥＤ合成による傾斜角への追従法３」
この傾き可変の挙動は、図１６の照射角―ＬＥＤ合成ごとの明るさ変化カーブ特性、図１７の照射角―カメラ傾斜角ごとの撮影距離変化カーブ特性に示す通り、傾斜角度の変化による撮影距離カーブの可変傾きと似ているため、傾斜角度に応じて、２つのＬＥＤユニット３（Ａ）・４（Ｂ）の明るさ比を可変させることで、距離による影響をキャンセルさせる可能性を示している。
【００３８】
図１８は効果を示したものである。
【００３９】
「従来設計」
ここで、従来であれば傾斜面への照射により撮影距離が変化することで、図１９のように、当初の設計狙い値よりもカメラ筐体１が傾斜してゆくに従って配光が狭くなり、ピーク位置もシフトしてしまう。
【００４０】
「本設計の効果」
しかし、本設計の通り、予め距離の変化率の二乗を設計狙い値の配光に掛け合わせた配光設計にして、かつ、２つのＬＥＤの明るさ配分を傾斜角に合わせて可変させることで、図１８に示すように、傾斜角０°〜βの間で当初設計の配光より狭くなることなく、ピーク位置もずれない良好な配光を提供することが可能になる。
【００４１】
以上のとおり、撮影レンズ２を挟んで対向配置した２灯のＬＥＤユニット３・４を個別制御することにより、配光カーブの傾きを、カメラ筐体１の傾斜姿勢に応じて変化する撮影距離と連動して可変させることにより、距離変化による影響を相殺することができる。
【００４２】
すなわち、カメラ筐体１を傾斜して撮影する際に被写体との撮影距離差が、画角の両端で大きくなることにより、ＬＥＤ発光などによる配光分布が狭くなってしまう問題に対し、元々の配光設計において、距離差を相殺する乗数を掛け、さらに、カメラ撮影姿勢の傾斜に応じて配光カーブを可変させることにより、配光分布が狭くなるのを防ぐことができる。
【００４３】
以上、実施形態のカメラによれば、所定の配光角度内の当該配光角度の中心以外の角度で、配光素子１２・１３から所定の距離離間した位置における発光強度がピークとなる第１のＬＥＤユニット３と、その第１のＬＥＤユニット３の発光制御を行なうＣＰＵ１０と、を備えているため、被写体に対する発光強度のピークを可変に制御することができる。
【００４４】
さらに、その第１のＬＥＤユニット３と逆位相の特性を具備する第２のＬＥＤユニット４と、これら第１のＬＥＤユニット３及び第２のＬＥＤユニット４の発光制御を行なうＣＰＵ１０と、筐体１の天地を判定する天地判定手段５を備えている。
そして、ＣＰＵ１０は、天地判定手段５の判定結果に応じて、第１のＬＥＤユニット３と第２のＬＥＤユニット４のどちらを発光させるかを制御することで、被写体に対する発光強度のピークを可変に制御することができる。
【００４５】
または、天地判定手段５に代えて、筐体１の傾斜角を検出する傾斜角センサ６を備えることで、その傾斜角センサ６により検出された傾斜角に応じて、第１のＬＥＤユニット３のＬＥＤ素子３１の明るさと、第２のＬＥＤユニット４のＬＥＤ素子４１の明るさと、の配分を制御して、被写体に対する発光強度のピークを可変に制御することができる。
【００４６】
（変形例）
以上の実施形態においては、カメラとしたが、本発明はこれに限定されるものではなく、カメラを備える携帯電話など他の電子機器であってもよい。
また、第１の発光手段と第２の発光手段は逆の関係でもよく、さらに、発光手段の配置箇所、その発光素子の種類等も任意であり、その他、具体的な細部構造等についても適宜に変更可能であることは勿論である。
【００４７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
所定の配光角度内の当該配光角度の中心以外の角度で、配光素子から所定の距離離間した位置における発光強度がピークとなる第１の発光手段と、
前記第１の発光手段の発光制御を行なう制御手段と、
を備えることを特徴とする発光装置。
＜請求項２＞
前記第１の発光手段は、
前記所定の配光角度内において、前記配光角度の中心であり、且つ、前記配光素子から前記所定の距離離間した位置において、発光強度がピークとなり、
前記配光角度の中心からプラス方向及びマイナス方向に対称な配光角度であり、且つ、前記配光素子から前記所定の距離離間した位置において、所定の発光強度となる配光カーブを有し、
当該配光カーブの特性を変化させることにより、
前記配光角度の中心以外の角度で前記配光素子から所定の距離離間した位置における発光強度がピークとなることを特徴とする請求項１に記載の発光装置。
＜請求項３＞
前記第１の発光手段は、
前記所定の配光角度内において、前記配光角度の中心であり、且つ、前記配光素子から前記所定の距離離間した位置において、発光強度がピークとなり、
前記配光角度の中心からプラス方向及びマイナス方向に対称な配光角度であり、且つ、前記配光素子から前記所定の距離離間した位置において、所定の発光強度となる配光カーブが、前記配光角度が照射平面に対して所定の傾斜角になった時の前記配光素子から前記照射平面までの距離の二乗が乗じた特性となる配光カーブを有することにより、
前記配光角度の中心以外の角度で前記配光素子から所定の距離離間した位置における発光強度がピークとなることを特徴とする請求項１に記載の発光装置。
＜請求項４＞
前記第１の発光手段と逆位相の特性を具備する第２の発光手段と、
当該発光装置の天地を判定する天地判定手段と、を備え、
前記制御手段は、前記天地判定手段の判定結果に応じて、前記第１の発光手段と前記第２の発光手段のどちらを発光させるかを制御することを特徴とする請求項２または３に記載の発光装置。
＜請求項５＞
前記第１の発光手段と逆位相の特性を具備する第２の発光手段と、
当該発光装置の傾斜角を検出する傾斜角検出手段と、を備え、
前記制御手段は、前記傾斜角検出手段により検出された傾斜角に応じて、前記第１の発光手段の発光素子の明るさと、前記第２の発光手段の発光素子の明るさと、の配分を制御することを特徴とする請求項２または３に記載の発光装置。
＜請求項６＞
請求項１から５の何れか一項に記載の発光装置を備えることを特徴とする撮影装置。
＜請求項７＞
請求項４または５に記載の発光装置を備える撮影装置であって、
当該撮影装置の撮影レンズの光軸中心と、前記第１の発光手段の発光素子の発光軸中心と、前記第２の発光手段の発光素子の発光軸中心と、が同一線上となるように、前記撮影レンズと前記第１の発光手段と前記第２の発光手段が配置されていることを特徴とする撮影装置。
＜請求項８＞
前記同一線上において、前記撮影レンズの光軸中心を中心として前記撮影レンズの光軸中心から等間隔離間した位置に、前記第１の発光手段の発光素子の発光軸中心と前記第２の発光手段の発光素子の発光軸中心が配置されていることを特徴とする請求項７に記載の撮影装置。
【符号の説明】
【００４８】
１  筐体
２  撮影レンズ
３  第１の発光手段
４  第２の発光手段
５  天地判定手段
６  傾斜角検出手段
１０  制御手段
１１  発光素子
１２  配光素子
１３  配光素子
３１  発光素子
３２  配光素子
３３  配光素子
４１  発光素子
４２  配光素子
４３  配光素子
【図１】
2017227819.tif 000003
【図２】
2017227819.tif 000004
【図３】
2017227819.tif 000005
【図４】
2017227819.tif 000006
【図５】
2017227819.tif 000007
【図６】
2017227819.tif 000008
【図７】
2017227819.tif 000009
【図８】
2017227819.tif 000010
【図９】
2017227819.tif 000011
【図１０】
2017227819.tif 000012
【図１１】
2017227819.tif 000013
【図１２】
2017227819.tif 000014
【図１３】
2017227819.tif 000015
【図１４】
2017227819.tif 000016
【図１５】
2017227819.tif 000017
【図１６】
2017227819.tif 000018
【図１７】
2017227819.tif 000019
【図１８】
2017227819.tif 000020
【図１９】
2017227819.tif 000021